(57)【要約】【課題】  振り竿を強固に固定すると共に支点の損傷を防ぎ、更に固定解除直後の衝突を防ぐと共に振り竿の姿勢を正しく設定し易くした振り子時計の振り竿固定構造を提供することにある。【解決手段】  第１の固定機構２０は、振り竿２の通常の揺動領域外に位置する係合ボス２０ａと、係合ボス２０ａに係脱可能に係合する係合アーム２０ｂからなる。第２の固定機構２２は、ガタ分だけ振り竿２を裏面方向に押し上げる押上げ部２２ａと、第１の係合固定機構２０を係合させるときに押し上げ部２２ａに係合する係合突出部２２ｂとからなる。この振り竿固定構造では、第１の固定機構２０により係脱自在な状態で振り竿２を固定し、その際に第２の固定機構２２で振り竿２をガタ分だけ裏面方向に押し上げて固定している。これにより、振り竿２を２ヵ所で強固に固定すると共に、揺動のために設定されたガタをなくして支点部の損傷を防いでいる。【選択図】  図１
2008241486.tif 000002
【特許請求の範囲】
【請求項１】
錘を備えた振り竿と、
該振り竿を揺動自在に支持する機構受板と、
該機構受板に設けられ且つ前記振り竿の通常の揺動領域外に位置する係合ボスと前記振り竿に設けられ前記係合ボスに係脱可能に係合する係合アームとからなる第１の固定機構と、
前記機構受板に設けられ且つ前記振り竿の揺動に予め設定されたガタ分だけ前記振り竿を裏面方向に押し上げる押し上げ部と前記振り竿に設けられ且つ前記第１の固定機構を係合させるときに前記押し上げ部に係合する係合突出部とからなる第２の固定機構と、を備え、
前記第１及び第２の固定機構にて前記振り竿を支持することで固定することを特徴とする振り子時計の振り竿固定構造。
【請求項２】
前記係合アームを前記係合ボスに係合させる際に、前記振り竿を上方に持ち上げて係合させることを特徴とする請求項１記載の振り子時計の振り竿固定構造。
【請求項３】
前記機構受板は、支軸より上方に位置する前記振り竿の上部に対面すると共にその揺動領域に対応する沈み防止土手状突起を有し、該沈み防止土手状突起に前記振り竿の上部が当接することにより前記振り竿の沈み方向への傾きを防止することを特徴とする請求項１又は２記載の振り子時計の振り竿固定構造。
【請求項４】
前記機構受板は、支軸より下方に位置する前記振り竿の下部に対面すると共にその揺動領域に対応する浮き防止土手状突起を有し、該浮き防止土手状突起に前記振り竿の下部が当接することにより前記振り竿の浮き方向への傾きを防止することを特徴とする請求項１乃至３の一つに記載の振り子時計の振り竿固定構造。
【請求項５】
前記機構受板は、前記係合ボスと相反する通常の揺動領域外に位置するはみ出し防止壁を有し、前記第１の固定機構の係合解除時の勢いで、前記振り竿が通常の揺動領域外に振れて前記機構受板からはみ出すことを防止する請求項１乃至４の一つに記載の振り子時計の振り竿固定構造。
【発明の詳細な説明】
【技術分野】
【０００１】
本発明は、振り子時計における振り竿が輸送時等に振れて損傷することを防ぐため、振り竿を一時的に固定する構造に関する。
【背景技術】
【０００２】
従来、振り子時計を輸送する際に、振り子を揺動させる振り竿が輸送時の揺れによって大きく振れて受板やケースに当たって損傷することを防ぐため、振り竿を一時的に固定することが行われている。このような振り竿の固定構造は、ロック機構や係合機構を設けることで振り竿を受板等に固定するものであった（例えば、特許文献１又は２参照）。
【０００３】
しかしながら、振り竿の中には、ゆっくりとした揺動を得るために錘を上部に備えた重い振り竿もあり、このような振り竿の場合、強固に固定することが必要であると共に、固定を解除した直後の振れによる衝突を防ぐことも必要であった。また、振り竿を固定した状態であっても、振り竿の支点部付近には所定のガタがあり、輸送時の振動によって支点部分が小刻みに揺れて支点部分を損傷することがあった。
【特許文献１】実開昭６１−９７７９０号公報
【特許文献２】実開昭５８−９７５８９号公報
【発明の開示】
【発明が解決しようとする課題】
【０００４】
本発明が解決しようとする課題は、上記従来技術の問題点を解決し、振り竿を強固に固定すると共に支点の損傷を防ぎ、更に固定解除直後の衝突を防ぐと共に振り竿の姿勢を正しく設定し易くした振り子時計の振り竿固定構造を提供することにある。
【課題を解決するための手段】
【０００５】
本発明の振り子時計の振り竿固定構造は、錘を備えた振り竿と、該振り竿を揺動自在に支持する機構受板と、該機構受板に設けられ且つ前記振り竿の通常の揺動領域外に位置する係合ボスと前記振り竿に設けられ前記係合ボスに係脱可能に係合する係合アームとからなる第１の固定機構と、前記機構受板に設けられ且つ前記振り竿の揺動に予め設定されたガタ分だけ前記振り竿を裏面方向に押し上げる押し上げ部と前記振り竿に設けられ且つ前記第１の固定機構を係合させるときに前記押し上げ部に係合する係合突出部とからなる第２の固定機構と、を備え、前記第１及び第２の固定機構にて前記振り竿を支持することで固定するものである。この振り子時計の振り竿固定構造においては、前記係合アームを前記係合ボスに係合させる際に、前記振り竿を上方に持ち上げて係合させている。また、前記機構受板は、支軸より上方に位置する前記振り竿の上部に対面すると共にその揺動領域に対応する沈み防止土手状突起を有し、該沈み防止土手状突起に前記振り竿の上部が当接することにより前記振り竿の沈み方向への傾きを防止している。また、前記機構受板は、支軸より下方に位置する前記振り竿の下部に対面すると共にその揺動領域に対応する浮き防止土手状突起を有し、該浮き防止土手状突起に前記振り竿の下部が当接することにより前記振り竿の浮き方向への傾きを防止している。また、前記機構受板は、前記係合ボスと相反する通常の揺動領域外に位置するはみ出し防止壁を有し、前記第１の固定機構の係合解除時の勢いで、前記振り竿が通常の揺動領域外に振れて前記機構受板からはみ出すことを防止している。
【発明の効果】
【０００６】
本発明の振り子時計の振り竿固定構造においては、第１の固定機構における係合ボスと係合アームの係合と、第２の固定機構における押し上げ部と係合突出部の係合により、振り竿を２ヵ所で固定しているので強固に固定することができ、また振り竿を裏面方向に押しているのでガタによる小刻みな揺れによる支点部の損傷を防ぐことができる。
【０００７】
また、第１の固定機構を係合させる際に、振り竿を上方に持ち上げて係合させているので、振り竿の支点部を浮かせることができ、支点部の損傷をより確実に防ぐことができる。
【０００８】
また、機構受板に沈み防止土手状突起と浮き防止土手状突起を設けて、振り竿の上部と下部の表裏方向の位置規制をしているので、振り竿の固定を解除した後、振り竿の姿勢を簡単に適正状態に戻すことができる。
【０００９】
また、機構受板にはみ出し防止壁を設けているので、第１の固定機構を解除したときの勢いで振り竿が機構受板からはみ出してケース等に衝突することを防ぐことができる。
【発明を実施するための最良の形態】
【００１０】
本発明の振り子時計の振り竿固定構造は、第１の固定機構と第２の固定機構を備えている。第１の固定機構は、機構受板に設けられ且つ振り竿の通常の揺動領域外に位置する係合ボスと、振り竿に設けられ係合ボスに係脱可能に係合する係合アームからなる。また、第２の固定機構は、機構受板に設けられ且つ振り竿の揺動に予め設定されたガタ分だけ振り竿を裏面方向に押し上げる押上げ部と、振り竿に設けられ且つ第１の係合固定機構を係合させるときに押し上げ部に係合する係合突出部とからなる。この振り竿固定構造では、第１の固定機構により係脱自在な状態で振り竿を固定し、その際に第２の固定機構で振り竿をガタ分だけ裏面方向に押し上げて固定している。これにより、振り竿を２ヵ所で強固に固定すると共に、揺動のために設定されたガタをなくして支点部の損傷を防いでいる。また、振り竿に当接する沈み防止土手状突起と浮き防止土手状突起を設けて、固定解除後の振り竿の姿勢を適正に設定し易い状態にしている。また、機構受板にはみ出し防止壁を設けて、固定解除時に、振り竿が大きく振れて機構受板からはみ出すことを防いでいる。
【実施例】
【００１１】
図１は本発明の一実施例に係る振り子時計の振り竿固定構造を示す裏面図、図２は図１に示す振り竿固定構造の要部断面図、図３は図１に示す振り竿固定構造の側面図、図４は図１に示す振り竿の固定を解除した状態を示す裏面図、図５は図４に示す振り竿の沈みを防止した状態を示す要部断面図、図６は図４に示す振り竿の浮きを防止した状態を示す要部断面図である。
【００１２】
２は振り竿であり、本実施例においては、中間点よりも上方に錘４を備え、下方に支点部６が設けられている。この振り竿２は、通常のものよりもゆっくりとした揺動を得るため、より重い錘４を上方に備えており、固定しない状態で輸送すると支点部６等に大きな負担をかけるものとなっている。支点部６は略円筒形をなし、その内部に後述する支軸１６が挿通されている。この支点部６と支軸１６との間には振り竿２の揺動に必要な所定のガタ（軸方向の隙間）が設けられている。また、振り竿２の上端には、磁石８が固着されており、下端には振り子等の装飾体を取り付ける取付部１０が設けられている。
【００１３】
１２は裏面方向が開口した浅い筐体からなる機構受板である。この機構受板１２の上部には振り竿２の磁石８を吸引・反発することで駆動する駆動回路１８が設けられ、中央にはムーブメント１４が取り付けられ、下部には振り竿２を揺動自在に支持する支軸１６が取り付けられている。
【００１４】
２０は第１の固定機構であり、機構受板１２に設けられた係合ボス２０ａと、振り竿２に設けられた係合アーム２０ｂにより構成されている。係合ボス２０ａは、振り竿２の錘４付近が通常揺動する領域の外側に設けられており、本実施例においては、図１及び図４における最も左端に位置するように設けられている。係合アーム２０ｂは、振り竿２の錘４付近の側面に設けられており、弾性を有する一対のアームからなるのである。この係合アーム２０ｂは、側方から係合ボス２０ａを挟むことにより係合し、振り竿２を正規の揺動領域の方向へ引張るとアームがその弾性によって開いて係合解除するものとなっている。本実施例における係合アーム２０ｂと係合ボス２０ａは、振り竿２をわずかに上方に持ち上げると対面して係合するように位置付けられている。
【００１５】
２２は第２の固定機構であり、機構受板１２に設けられた押し上げ部２２ａと、振り竿２に設けられた係合突出部２２ｂとから構成されている。押し上げ部２２ａは、支軸１６の直ぐ上に設けられた段状部からなる。また、係合突出部２２ｂは、支点部６の直ぐ上に設けられている。この押し上げ部２２ａと係合突出部２２ｂは、振り竿２が通常の揺動状態（例えば、図６に示すように、支点部６の上内面が支軸１６によって支持される状態）にあるときに、係合せず、第１の固定機構２０を係合させるときに振り竿２をわずかに持ち上げると係合する。この押し上げ部２２ａと係合突出部２２ｂが係合すると、押し上げ部２２ａによって振り竿２は裏面方向に押し上げられる。この押し上げ部２２ａの高さは、支点部６と支軸１６とのガタに相当するように設定されている。
【００１６】
２４は機構受板１２の支軸１６より上方に設けられた沈み防止土手状突起である。この沈み防止土手状突起２４は、振り竿２の上部２５に対面すると共にその揺動領域に対応する位置に設けられている。この沈み防止土手状突起２４は、振り竿２が正しい姿勢をなす場合には振り竿２に当接せず、振り竿２が傾いてその上部２５が機構受板１２に近付くと当接して姿勢を正すように作用する。
【００１７】
２６，２８は機構受板１２の支軸１６より下方に設けられた浮き防止土手状突起である。この浮き防止土手状突起２６，２８は、振り竿２の下部２７及び下部にある突出部２９に対面すると共にその揺動領域に対応する位置に設けられている。この浮き防止土手状突起２６，２８は、振り竿２が正しい姿勢をなす場合には振り竿２に当接せず、振り竿２が傾いてその下部２７及び突出部２９が機構受板１２に近付くと当接して姿勢を正すように作用する。尚、浮き防止土手状突起２６を浮き防止土手状突起２８よりもわずかに低くして、第１の固定機構２０の係合のために振り竿２を持ち上げたときの振り竿２の位置規制に使用することもできる。
【００１８】
３０は機構受板１２に設けられたはみ出し防止壁である。このはみ出し防止壁３０は、係合ボス２０ａと相反する通常の揺動領域外（図１における右端）に位置しており、舌片状に裏面方向に突出したものとなっている。このはみ出し防止壁３０は、第１の固定機構２０の係合を解除したときに振り竿２が揺動範囲外に大きく振れて機構受板１２からはみ出すことを防ぐように作用する。
【００１９】
次に、上記構成からなる振り竿の固定構造における振り竿２の固定と固定解除の状態について説明する。第１の固定機構２０における係合アーム２０ｂを係合ボス２０ａに係合させる場合、振り竿２を通常の揺動領域よりも図１中左方に振ると共にわずかに上方に持ち上げて係合アーム２０ｂの位置を係合ボス２０ａに合わせ、係合アーム２０ｂを係合ボス２０ａに押し付けるようにして外嵌させる。また、振り竿２が上方に持ち上げられたときに、第２の固定機構２２における押し上げ部２２ａと係合突出部２２ｂが係合し、振り竿２が支点部６付近のガタ分だけ裏面方向に押し上げられる。
【００２０】
この結果、振り竿２は、錘４付近が第１の固定機構２０により固定され、支点部６付近が第２の固定機構２２により押し上げられてガタがなくなることで固定される。これにより、振り竿２は２ヵ所で固定されると共に、その支点部６が持ち上げられて保護され、更に支点部６がガタで動いて損傷することもなくなる。
【００２１】
一方、図１に示す状態にある振り竿２の錘４付近を、図中右方に引張ると、係合アーム２０ｂを係合ボス２０ａから外すことができ、これにより第１の固定機構２０の係合を解除することができる。このときの勢いで振り竿２の錘４付近が大きく図中右方に振れても、はみ出し防止壁３０に当たってその弾性によりはね返されるため、機構受板１２からはみ出すことはない。
【００２２】
また、固定解除された振り竿２は、図５に示すように、上部２５が機構受板１２に近付くように傾いても、沈み防止土手状突起２４に上部２５が当接することで正しい姿勢に戻ることになる。更に、図６に示すように、下部２７が機構受板１２に近付くように傾いても、浮き防止土手状突起２６，２８に下部２７及び突出部２９が当接することで正しい姿勢に戻ることになる。これにより、固定解除された振り竿２は、支点部６を損傷することなく、簡単に正しい姿勢に戻すことができる。
【産業上の利用可能性】
【００２３】
本発明の振り子時計の振り竿固定構造は、振り子時計における振り竿を固定するだけでなく、からくり時計等に設けられるからくり機構の駆動装置の固定構造としても利用することが可能である。
【図面の簡単な説明】
【００２４】
【図１】本発明の一実施例に係る振り子時計の振り竿固定構造を示す裏面図である。
【図２】図１に示す振り竿固定構造の要部断面図である。
【図３】図１に示す振り竿固定構造の側面図である。
【図４】図１に示す振り竿の固定を解除した状態を示す裏面図である。
【図５】図４に示す振り竿の沈みを防止した状態を示す要部断面図である。
【図６】図４に示す振り竿の浮きを防止した状態を示す要部断面図である。
【符号の説明】
【００２５】
２    振り竿
４    錘
６    支点部
８    磁石
１０  取付部
１２  機構受板
１４  ムーブメント
１６  支軸
１８  駆動回路
２０  第１の固定機構
２０ａ  係合ボス
２０ｂ  係合アーム
２２  第２の固定機構
２２ａ  押し上げ部
２２ｂ  係合突出部
２４  沈み防止土手突起
２５  上部
２６，２８  浮き防止土手突起
２７  下部
２９  突出部
３０  はみ出し防止壁
【図１】
2008241486.tif 000003
【図２】
2008241486.tif 000004
【図３】
2008241486.tif 000005
【図４】
2008241486.tif 000006
【図５】
2008241486.tif 000007
【図６】
2008241486.tif 000008